(57)【特許請求の範囲】
【請求項１】
高さ調整自在な４本の脚柱を備えたスタンド本体と、前記スタンド本体上に高さ調整自在に設けられマリンバまたはシロホンまたはビブラフォンが設置される楽器設置台と、前記楽器設置台を角度調整する角度調整機構とを備え、
前記角度調整機構は、前記各脚柱にそれぞれ取付けられた自在継手からなり、前記楽器設置台を前後方向および左右方向に角度調整可能に支持することを特徴とする楽器用スタンド。
【請求項２】
請求項１記載の楽器用スタンドにおいて、
前記各脚柱は、前記楽器設置台を流体圧を利用して支持し押し上げる方向に付勢する高さ調整装置をそれぞれ備えていることを特徴とする楽器用スタンド。
【請求項３】
請求項１または２記載の楽器用スタンドにおいて、
前記高さ調整装置は、外周面に軸線方向に一定のピッチで形成された複数個の溝を有する上下動自在な支持部材を備え、
前記支持部材は上端に前記角度調整機構が取付けられ、
前記脚柱は、前記支持部材の任意の溝に係入することにより前記楽器設置台の高さを前記溝のピッチで段階的に調整するストッパを備えたことを特徴とする楽器用スタンド。
【発明の詳細な説明】
【０００１】
【発明の属する技術分野】
本発明は、マリンバ、シロホン、ビブラフォン等の楽器に用いられる楽器用スタンドに関する。
【０００２】
【従来の技術】
図９は従来のマリンバの一部構成部材を省略して示す概略斜視図である。このマリンバ１は、楽器設置台２と、この楽器設置台２を高さ調整自在に支持するスタンド本体３とからなる楽器用スタンド４を備え、楽器設置台２に複数本の音板５とパイプ６を取付け、演奏に際して楽器設置台２の高さを演奏者の身長、好み等に合わせて調整するようにしている。
【０００３】
このような楽器設置台２を高さ調整可能に支持する楽器用スタンド４としては、従来から種々提案されている。その一例として実開平２−４３５８９１３号、実開昭６３−６２８９６号、特開平１−１１６６９５号、特開平１１−２４２４７９号公報等に記載されたものが知られている。例えば、特開平１１−２４２４７９号公報に記載されている楽器用スタンドは、楽器設置台２を高さ調整自在に支持する高さ調整装置としてガス圧を利用した直動型のガススプリングを用い、このガススプリングをスタンド本体３の各脚柱７内に組み込んでいる。
【０００４】
【発明が解決しようとする課題】
上記した従来の楽器用スタンド１は、スタンド本体３に低音側、高音側ともに２本ずつ、合計４本の脚柱７を設け、これらの脚柱７の上に楽器設置台２を水平になるように固定している。楽器設置台２の高さ調整は、楽器設置台２、スタンド本体３を構成する各部材の寸法上の余裕や弾性変形により、高音側、低音側それぞれの脚柱７を片方ずつ昇降させることで行っている。しかしながら、楽器設置台２を構成する長枠８と側枠９が分解不能な一体構造の場合は、脚柱７を片方ずつ昇降させることは困難であり、両側を同時に持ち上げなければならなかった。特に、音板数の多く左右に長い楽器の場合は、二人掛かりで行う必要がある。
【０００５】
本発明は上記した従来の問題を解決するためになされたもので、その目的とするところは、楽器設置台とスタンド本体との間の角度に自由度をもたせることにより、高さ調整するとき楽器設置台を構成する長枠と側枠の接合部や楽器設置台とスタンド本体との接合部に生じる応力を軽減し、高さ調節が容易であるとともに、演奏者の好みにあった演奏環境を創出し得るようにした楽器用スタンドを提供することにある。
【０００６】
【課題を解決するための手段】
上記目的を達成するために第１の発明は、高さ調整自在な４本の脚柱を備えたスタンド本体と、前記スタンド本体上に高さ調整自在に設けられマリンバまたはシロホンまたはビブラフォンが置される楽器設置台と、前記楽器設置台を角度調整する角度調整機構とを備え、前記角度調整機構は、前記各脚柱にそれぞれ取付けられた自在継手からなり、前記楽器設置台を前後および左右方向に角度調整可能に支持するものである。
【０００７】
第１の発明においては、楽器設置台を高さ調整したとき楽器設置台が傾くことで歪んだりすることがなく、楽器設置台を構成する長枠と側枠の接合部や楽器設置台とスタンド本体との接合部に生じる応力を軽減することができる。また、奏者の好みに合わせて楽器設置台を前後、左右方向のいずれにも傾けることができるため、新しい演奏環境を作り出すことができる。
【０００８】
第２の発明は、上記第１の発明において、前記各脚柱が前記楽器設置台を流体圧を利用して支持し押し上げる方向に付勢する高さ調整装置をそれぞれ備えているものである。
【００１０】
第３の発明は、上記第１または第２の発明において、前記高さ調整装置が外周面に軸線方向に一定のピッチで形成された複数個の溝を有する上下動自在な支持部材を備え、前記支持部材の上端に前記角度調整機構が取付けられ、前記脚柱が前記支持部材の任意の溝に係入することにより前記楽器設置台の高さを前記溝のピッチで段階的に調整するストッパを備えているものである。
【００１３】
【発明の実施の形態】
以下、本発明を図面に示す実施の形態に基づいて詳細に説明する。
図１は本発明をマリンバの楽器用スタンドに適用した一実施の形態を示す概略正面図、図２は同スタンドの左側面図、図３は高さ調整装置の概略断面図、図４は楽器設置台の高さ調整時の様子を示す正面図、図５は同楽器設置台を奏者側に傾けて使用する場合の側面図である。なお、従来技術の欄で示した構成部材と同一または同等のものについては同一符号をもって示す。
【００１４】
これらの図において、全体を符号１０で示すマリンバは、それぞれ複数本からなる音板５およびパイプ６と、これらの音板５とパイプ６が取付けられた楽器用スタンド１１とで構成されている。また、楽器用スタンド１１は、前記音板５とパイプ６が設置される楽器設置台１２と、この楽器設置台１２を高さ調整自在に支持するスタンド本体１３とで構成されている。
【００１５】
前記音板５は、それぞれ複数本からなる前列側の幹音音板５Ａと後列側の派生音音板５Ｂとからなり、前記楽器設置台１２の上面に前後２段に配設されている。幹音音板５Ａと派生音音板５Ｂは、一次（基本）振動の節となる二箇所に幅方向に貫通する挿通孔を有し、これらの挿通孔にそれぞれ挿通される図示しない紐によって支持されている。
【００１６】
前記パイプ６は前列側の幹音パイプ６Ａと後列側の派生音パイプ６Ｂとからなり、各幹音音板５Ａ、派生音音板５Ｂの音に共鳴して振動することにより音量を増大させるためのもので、対応する幹音音板５Ａと派生音音板５Ｂの下方にそれぞれ懸吊されている。幹音パイプ６Ａと派生音パイプ６Ｂは、上端が開放し下端側が閉塞するパイプからなり、対応する幹音音板５Ａ、派生音音板５Ｂの一次振動数と略同じ固有振動数を有している。
【００１７】
前記楽器設置台１２は、前記幹音音板５Ａと派生音音板５Ｂの下方にそれぞれ２本ずつ配設された左右方向に延在する合計４本の長枠８と、これらの長枠８の端部を接続する左右一対の側枠９と、各側枠９の下面に固定された左右一対の梁部材１４等によって左右方向に長い矩形の枠状体に形成されている。
【００１８】
前記スタンド本体１３は、キャスタ１６を備えた左右一対の脚１７と、各脚１７の上面両端部にそれぞれ立設された合計４本の脚柱７と、これらの脚柱７の上端部側を互いに連結する連結バー１８と、連結バー１８と各脚１７を連結するステー１９等で構成されている。前記各脚柱７は丸パイプからなり、前記楽器設置台１２の高さを調整する高さ調整装置２１と、前記楽器設置台１２を脚柱７に対して任意の高さ位置に係止するストッパ２２とを備えている。
【００１９】
前記高さ調整装置２１は、ガス圧を利用した直動型のガススプリングからなり、前記脚柱７の内部に組み込まれている。また、この高さ調整装置２１は、図３に示すようにシリンダ３１と、シリンダ３１の内部を２つの室３３，３４に仕切るピストン３５と、上端に前記ピストン３５が取付けられたピストンロッド３６と、シリンダ３１の上面に取付けられた支持部材３７等で構成されている。
【００２０】
前記シリンダ３１は、ピストンロッド３６に対して上下動自在で、内部に前記ピストン３５が相対的に摺動自在に嵌挿されるとともに、シリコーンオイル等のオイル３８と窒素ガス等の高圧ガス３９が封入されている。前記ピストン３５は、上下面に貫通するオリフィス４０を有し、これによって前記第１、第２の室３３，３４を連通させている。前記ピストンロッド３６は、シール部材４１およびロッドガイド４２を介してシリンダ３１の下方に突出し、その下端部に設けた雄螺子部４３にナットが螺合され前記脚１７に挿入されている。前記支持部材３７は、上端が前記脚柱７の上方に突出し、下端が連結板４４に連結されている。連結板４４は、前記シリンダ３１の上面に設けた取付金具４５にリベット４６によって連結されている。
【００２１】
また、この支持部材３７の上端には、前記楽器設置台１２を任意の方向に傾動自在に支持する角度調整機構としての自在継手４８が取付けられている。自在継手４８としては、碗状に形成されて前記支持部材３７の上面に固定された球面座４８Ａと、前記梁部材１４の下面に取付けられ前記球面座４８Ａに摺動自在に嵌合する球状部を有する部材４８Ｂとからなるボール形の自在継手を用いた例を示しているが、これに限らず十字形（カルダン形）、こま形等の自在継手であってもよいことはいうまでもない。
【００２２】
前記ストッパ２２は、テーパナットからなり、前記脚柱７の上端部外周面に形成したテーパねじに螺合しており、このストッパ２２を締め込んで脚柱７の上端部を小径化し前記支持部材３７の外周に押し付けると、前記高さ調整装置２１をロックすることができる。脚柱７の上端部には、軸線方向に長い複数のスリットが周方向に等間隔をおいて形成されており、前記ストッパ２２を締め付けたときに縮径して支持部材３７の緊縛を可能にしている。なお、ストッパ２としてはテーパナットの代わりにねじを用いてもよい。ねじを用いたときは、脚柱７の外周に螺合し、その先端部を脚柱７の内部に突出させて支持部材３７の外周に押し付けるようにすればよい。その場合、支持部材３７の外周に複数の環状溝を長さ方向に所定の間隔をおいて形成しておき、任意の１つにねじの先端部を係入させると、支持部材３７を確実に係止することができ、楽器設置台１２の高さを段階的に調整することができる。
【００２３】
ここで、本実施の形態においては、テーパナットからなるストッパ２２によって脚柱７を縮径化させることにより高さ調整装置２１をロックするようにしたが、本発明はこれに何ら限定されるものではなく、例えばドラムセット用スタンドの高さ調整に使用しているクラッチ機構を用いてもよい。このクラッチ機構は、固定部材と、ストッパを外側から覆うスリットを有する合成樹脂製の筒状体とからなり、これらを脚柱７に嵌挿して筒状体に支持部材３７を嵌挿し、脚柱７の外周に設けた締付けねじを締め付けて固定部材を押圧して筒状体のスリットに押付けると、筒状体が縮径化して前記支持部材３７を締め付けて脚柱７に固定することができる。
【００２４】
次に、楽器設置台１２の高さ調整操作について説明する。
図１および図２は楽器設置台１２をストッパ２２によって最下位置に係止している状態を示す。この状態において、高さ調整装置２１のシリンダ３１は最下位置に保持されている。このため、第１の室３３内の容積は最小でガス圧が最大となり、シリンダ３１を上方に付勢している。また、第１の室３３内の高圧ガス３９は一部がオリフィス４０より第２の室３４内に入りシリコーンオイル３８を圧縮している。
【００２５】
この状態において、楽器設置台１２の高さを調整するには、ストッパ２２を緩めて支持部材３７の脚柱７に対するロック状態を解除する。支持部材３７のストッパ２２によるロック状態を解除すると、第１の室３３内のガス圧は駆動力としてシリンダ３１を押し上げるように作用する。この時の高さ調整装置２１の駆動力が音板５、パイプ６、楽器設置台１２、シリンダ３１および支持部材３７の総重量より大きい場合には、楽器設置台１２を高さ調整装置２１によって自動的に上昇させることができる。一方、駆動力が前記総重量よりも小さい場合は、その差に相当する軽い力で作業者が楽器設置台１２を上昇させればよい。そして、楽器設置台１２が所望の高さまで上昇すると、ストッパ２２を締め付けて支持部材３７を脚柱７に固定する。第１の室３３内のガス圧によってシリンダ３１が上昇すると、第２の室３４の容積は次第に減少し、シリコーンオイル３８を圧縮する。このため、第２の室３４内の高圧ガス３９はオリフィス４０を通って第１の室３３に移動する。
【００２６】
楽器設置台１２を適宜な高さ位置から最下位置に下降させるには、ストッパ２２を緩めて支持部材３７のロック状態を解除する。支持部材３７のロック状態を解除すると、高さ調整装置２１のガス圧が音板５、パイプ６、楽器設置台１２、シリンダ３１および支持部材３７の総重量より小さい場合、自重により下降する。この時、高さ調整装置２１のガス圧は楽器設置台１２を制動するように作用するため、急激に落下するようなことはない。ガス圧が前記総重量より大きいときは手で楽器設置台１２を押し下げればよい。楽器設置台１２が下降するにしたがってシリンダ３１も下降するため、第１の室３３内のガス圧は徐々に高くなり楽器設置台１２を押し上げるように作用する。したがって、最下位置に下降する直前においては楽器設置台１２を手で押し下げ、最下位置まで下降すると、ストッパ２２を締め付けて支持部材３７を脚柱７に固定する。
【００２７】
前記高さ調整装置２１による楽器設置台１２の高さ調整に当たっては、４本の脚柱７に収納されている高さ調整装置２１全てを同時に操作することが難しいため、通常は左右いずれかの側、例えば低音側（左側）の２本の脚柱７に収納されている２つの高さ調整装置２１を略同時に操作して楽器設置台１２の低音側を所定量上昇させ、次いで高音側（右側）の２本の脚柱７に収納されている２つの高さ調整装置２１を略同時に操作して楽器設置台１２の高音側を同じく所定量上昇させて楽器設置台１２を略水平にする。
【００２８】
このとき、楽器用スタンド１１は自在継手４８によって脚柱７と楽器設置台１２との間の角度に自由度をもたせているので、従来の楽器用スタンドのように楽器設置台１２を無理に傾けて歪ませるようなことがない。すなわち、図９に示した従来の楽器用スタンド１は、脚柱７と楽器設置台２のなす角度が９０°に固定されているため、片側ずつを押し上げようとすると、楽器設置台２を脚柱７に対して無理に傾けて歪ませることになる。また、両側を同時に持ち上げないと上がらない。
【００２９】
一方、自在継手４８によって脚柱７と楽器設置台１２との間の角度に自由度をもたせた構造の楽器用スタンド１１においては、図４に示すように楽器設置台１２の片側を上昇または下降させたとき自在継手４８の働きにより脚柱７と楽器設置台１２とのなす角度θが変化するため、楽器設置台１２が歪んだりすることがない。したがって、片側ずつ高さ調節することが可能であり、一人で容易に調節できる。
【００３０】
また、自在継手４８を備えているので図５に示すように前側と後側の脚柱７の高さを変えて楽器設置台１２を奏者側に適宜な角度傾けると、後方側の派生音音板５Ｂと奏者（目）との距離が短くなり、従来の楽器用スタンドからは得られない新しい演奏環境を創出することができる。
【００３１】
図６は本発明の他の実施の形態を示す正面図、図７（ａ），（ｂ）は角度調整機構の断面図、ａ−ａ線断面図である。
この実施の形態は、楽器設置台１２を支持部材３７に対して角度調整機構５０によって左右方向にのみ角度調整（傾動可能）可能に設置したものである。
【００３２】
前記角度調整機構５０は、各側枠９の下面に固定された金具５１と、この金具５１によって支持された水平な支持軸５２とを有し、この支持軸５２によって前記支持部材３７の上端を楽器用スタンド１１の左右方向に回動自在に枢支している。金具５１は下方に開放する箱型に形成されている。支持軸５２はボルトからなり、軸線が楽器用スタンド１１の前後方向と一致するように金具５１の前後方向に対向する側板間に横架され、ナット５３によって抜けを防止されている。金具５１と支持部材３７との間には、支持部材３７の矢印方向Ａへの回動（実際の回動は金具５１）を可能にする適宜な隙間Ｇが設けられている。なお、楽器用スタンド１１自体の構造は、上記した実施の形態と略同一であるため、その説明を省略する。
【００３３】
このような構造からなる楽器用スタンド１１において、楽器設置台１２を図６に示すように高音側が低音側より低くなるように傾斜させて使用する場合、低音側の脚柱７の上端に螺合されているストッパ２２を緩めて支持部材３７のロック状態を解除し、低音側の高さ調整装置２１によって支持部材３７を所望の高さに上昇させればよい。このとき、金具５１は、支持部材３７に対して支持軸５２を回動支点として回動することにより、楽器設置台１２の傾動を可能にする。
【００３４】
図８は本発明のさらに実施の形態を示す側面図である。
この実施の形態は、楽器設置台１２を支持部材３７に対して角度調整機構５０によって前後方向にのみ角度調整（傾動可能）可能に設置したものである。角度調整機構５０は、支持軸５２の軸線が楽器用スタンドの左右方向と一致している点が図６に示した上記実施の形態と異なるだけで、その他の構成は全く同一である。
【００３５】
このような構造からなる楽器用スタンド１１においては、後方側の支持部材３７を上昇させると、楽器設置台１２を演奏者側に所要角度傾斜させることができる。
【００３６】
なお、上記した実施の形態は、いずれもマリンバの楽器用スタンドに適用した例を示したが、本発明はこれに何等特定されるものではなく、シロホン、ビブラフォン等の楽器用スタンドにも適用することができる。
また、上記した実施の形態は、高さ調整装置２１として市販のガススプリングを用いた例を示したが、図３に示したものとは異なる型式のガススプリングや、ガススプリング以外の適宜な高さ調整装置を使用してもよいことは勿論である。
【００３７】
【発明の効果】
以上説明したように本発明に係る楽器用スタンドは、脚柱と楽器設置台との間の角度に自由度をもたせているので、楽器設置台の高さ調整を一人で容易に行うことができ、また、構造が簡単で、自在継手を用いると角度調整のための格別な操作を必要とせず、楽器設置台を奏者側または左右方向に傾けると新しい演奏環境を創出することができる。
【図面の簡単な説明】
【図１】  本発明をマリンバの楽器用スタンドに適用した一実施の形態を示す概略正面図である。
【図２】  同スタンドの左側面図である。
【図３】  高さ調整装置の概略断面図である。
【図４】  楽器設置台の高さ調整時の様子を示す正面図である。
【図５】  同楽器設置台を奏者側に傾けて使用する場合の側面図である。
【図６】  本発明の他の実施の形態を示す正面図である。
【図７】  （ａ），（ｂ）は角度調整機構の断面図、ａ−ａ線断面図である。
【図８】  本発明のさらに他の実施の形態を示す側面図である。
【図９】  従来の楽器用スタンドの外観斜視図である。
【符号の説明】
５…音板、６…パイプ、７…脚柱、８…長枠、９…側枠、１０…マリンバ、１１…楽器用スタンド、１２…楽器設置台、１３…スタンド本体、１７…脚、２１…高さ調整装置、２２…ストッパ、３７…支持部材、４８…自在継手、５０…角度調整機構、５２…支持軸。
【図１】
0003656620.tif 000002
【図２】
0003656620.tif 000003
【図３】
0003656620.tif 000004
【図４】
0003656620.tif 000005
【図５】
0003656620.tif 000006
【図６】
0003656620.tif 000007
【図７】
0003656620.tif 000008
【図８】
0003656620.tif 000009
【図９】
0003656620.tif 000010